(57)【要約】      （修正有）【課題】不規則な水の排出をする揚水ポンプ。そして、末端での流出形態を変えることが出来るようにする。【解決手段】エアーポンプ２５を使用し、揚水ポンプ本体１と排出ホース２１に常時空気を送る。空気抜き弁２を、浮きとおもりの役目をする容器１９によって開閉させる。空気抜き弁２が開くと吸水口１８から水が入り、空気抜き弁２が閉じて空気出口５を塞ぐと、空気圧で排出口１５から水を排出する。そして、排出ホース２１から水流調節部を通す。水流調節部では、複数の穴でオーバーフローさせて流出する水に変化をもたらす。バルブを使用して水流調節をする場合は、容器２９で空気抜きと水のオーバーフロー対策をする。【選択図】図１
2008286176.tif 000002
【特許請求の範囲】
【請求項１】
本発明の空気圧による揚水ポンプは、浮力が働く位置で使用する。揚水ポンプ内にエアーポンプで空気を送り、空気抜き口を開閉することで吸水排出を交互に行なう。そして、排出する水に補助空気を送る。その揚水は途切れ途切れであるが、水流調節部を通すことで流出形態を変えることができる空気圧による揚水ポンプである。
【請求項２】
本発明の空気圧による揚水ポンプに使用する空気抜き弁は、複数の板を重ねて中心部のみを接着することを特徴とする。
【発明の詳細な説明】
【技術分野】
【０００１】
本発明は、エアーポンプを使用して水を揚げる事の出来るポンプに関する。
【背景技術】
【０００２】
モーターやダイアフラムによる揚水ポンプでは、一定量の水を排出することが出来る。しかし、循環式つくばい等に使用する場合、変化のある流れをするもまた面白いと考える。
【０００３】
【特許文献１】特許公開  ２０００−２６３９９８
【非特許文献１】ダイアフラム  http//www.inscope.co.jp/tapflo/tapflowork.htm
【発明の開示】
【発明が解決しようとする課題】
【０００４】
一定量の水を排出する揚水ポンプではなく、不規則な排出をする揚水ポンプを作る。そして、流出形態を変えることが出来るようにする。
【課題を解決するための手段】
【０００５】
本発明の揚水ポンプは、浮力が働く位置にあり、エアーポンプで揚水ポンプ内と排出ホースに常時空気を送る。揚水ポンプ内の空気を空気抜き口から抜くことにより、揚水ポンプ内に水が入る。そして、空気抜き口を塞いで空気を閉じ込めれば、水を排出口から排出する。空気抜き口を開閉する弁は、浮きで押し上げ、おもりで引き離す。排出ホースに送る空気は、揚水補助の為である。そして、揚水ポンプから排出した水を水流調節部に通すことで流出形態を変える事ができる。
【０００６】
本発明の空気圧による揚水ポンプに使用する空気抜き弁は、複数の板を重ねて、中心部のみを接着することを特徴とする。
【発明の効果】
【０００７】
本発明の空気圧による揚水ポンプは、消費電力の少ないエアーポンプを使用して水を揚げる事が出来る。そして、その水の流出形態を変えることが出来る。また、揚げる水が無くなっても、空気が抜けるだけで揚水ポンプに損傷が無く、水を足せば、また揚水するようになるので安心である。
【発明を実施するための最良の形態】
【０００８】
本発明の実施の形態を図面に基づき詳細に説明する。
【０００９】
図１の断面図で、本発明の空気圧による揚水ポンプ本体の構造を示している。
【００１０】
揚水ポンプ本体１は浮力が働く位置にあり、エアーポンプ２５からの空気を調整付分岐器具２４で分岐調整して揚水ポンプ内と排出ホース２１に送る。空気調整は、揚水ポンプ内に送る空気が全開で、排出ホース２１に送る空気は少量にする。
【００１１】
おもり１９は、空気圧による揚水ポンプ本体１を浮かせない為の物である。このおもりは、石にポンプ本体が入る穴をあけて接着するか、コンクリート等で包む。重り１９の下には、水が入る隙間２０を作る。
【００１２】
ただし、おもりを付けるに限らず、水中で固定すればよい。また、揚水ポンプに浮力が働く位置であれば、吸水口１８にパイプ等を付けて水を呼び込む外付け使用も可能である。
【００１３】
容器９が浮きとおもりの役目をして、空気抜き弁２を押し上げたり引き下げたりする。そのために、容器９が浮きとおもりとして働く位置に複数の穴１０をあける。そして、容器吸水口17に吸水弁11を付ける。
【００１４】
容器９の上下外幅は、揚水ポンプ本体１の内側との間に空気と水が通る隙間ができる幅とし、中間は、水の入る空間ができるだけ多くなる形状とする。
【００１５】
吸水弁下部１１ａ、１３ａは、吸水を妨げないように板に突起物をつけるか、棒状として、吸水弁が吸水口から外れない為の物とする。
【００１６】
容器９上の突起部３は、キャップ状で中心に穴があり、空気抜き弁２にある弁軸２ｃが通り、弁軸２ｃ下の止め部２ｄを引く。突起部３は、外側頭上中央部を高くすることで空気抜き弁２の中心を押し上げる事ができる。
【００１７】
弁軸２ｃと突起部３の長さは、突起部３が空気抜き弁2を押し上げている状態で止め部２ｄが突起部３の底に接触しないこと。そして、揚水ポンプ内上部のゴム板４に弁板２ａが密着した状態で、突起部３に止め部２ｄが当たるまで容器９を下げる。容器９の底部と揚水ポンプ内下部の弾性部材１４が接触しない位置で、容器９のおもりで密着した空気抜き弁２をゴム板４から引き離す事ができる最短の距離を基にして出す。
【００１８】
空気抜き弁２が開いている状態では、エアーポンプ２５からの空気は空気抜き口５から放出され、吸水口１８から水が入る。    
【００１９】
揚水ポンプ本体１には、空気抜き口５から出る空気を水面２６より上で放出させるためのパイプ６を付ける。そして、異物浸入防止のため、パイプ６より大きい径のキャップ７を浮かせた状態でピン８にて止める。なお、パイプ１６が真上に伸ばせない場合などは、ホース等を使用して水面より上に放出する。
【００２０】
揚水ポンプ内の水が増すと、容器９が浮きの役目をして空気抜き弁２を押し上げる。押し上げられた空気抜き弁２はゴム板４に密着して、空気抜き口５を塞ぐ。
【００２１】
空気抜き弁２の弁板２ａ、２ｂは、柔軟性部材を使用する。弁板２ａは薄く、弁板２ｂは、少し小さくて厚くする。そして、中央部だけを弁軸２ｃと共に接着する。弁板２ａとゴム板４の間よりも弁板２ａと弁板２ｂの間の方に空気が入り易いので、弁板２ａをより強くゴム板４に密着させる。
【００２２】
空気抜き口５を空気抜き弁２で塞ぐと、空気圧で揚水ポンプ内の水が排出口１５から排出される。揚水ポンプ内の水が無くなると、容器９内に残った水がおもりとなり、空気抜き口５を塞いでいた空気抜き弁２を引き離す。
【００２３】
排出口１５の内側は、容器９の落下時の衝撃を吸収する為の弾性部材１４より若干低い位置まで上げて、揚水ポンプ底に水を残し、空気と吸水弁１３を接触させないようにする。排出口１５の外側には、パイプ１６を付ける。そして、パイプ１６の底水を揚げるように排出ホース２１を付ける。
【００２４】
排出する水を高く揚げる為に、排出ホース２１にエアーポンプ２５から分岐調整した空気を送り揚水を補助する。ただし、揚水する高さが低ければ、補助空気は必要とは限らない。
【００２５】
図２の断面図は、水流調節部の構造を示している。
【００２６】
水流調節部２７は、流出路２８の内にあり、揚水ポンプが排出する水と、エアーポンプ２５から分岐調整した補助空気が入口27ａから入る。
【００２７】
水流調節部２７先端下の水の出口２７ｂは、水が徐々に流出するように小さくする。水流調節部２７上には、複数の穴２７ｃをあけて、補助空気を逃がすと共に水をオーバーフローさせる。入口２７ａに近い穴を大きくし、出口２７ｂに向かい徐々に小さな穴にする。最終の穴は、揚水ポンプが吸水して揚水が途切れる間、水流調節部２７に水が残り出口２７ｂから徐々に流出する位置とする。また、好みとして、流出が途切れるほうが良い場合は、最終の穴を出口近くにあけて水のオーバーフローを多くする。
【００２８】
図３はバルブを使用しての水流調節であり、説明に必要な部分を断面図で示す。
【００２９】
入口３０には、排出ホース２１からの途切れ途切れに揚がる水と補助空気が入る。容器２９上部にある空気抜き口３１から空気を抜く。３２，３３，３４は、異物浸入防止のためで、揚水ポンプ本体１上部に付する物と同じである。
【００３０】
バルブで流出量を調節するのであるが、微量で連続の流出とする場合などは、オーバーフローする水をホース３８で揚水ポンプがあるところに戻す。
【産業上の利用可能性】
【００３１】
本発明の空気圧による揚水ポンプは、循環させて水の流れを楽しむ製品に使用する他に、各部材を使用用途に合わせれば、液体ポンプとして幅広く利用が可能である。
【図面の簡単な説明】
【００３２】
【図１】空気圧による揚水ポンプの断面図である。
【図２】水流調節部の断面図である。
【図３】バルブを使用しての水量調節で、必要部分を断面図で示す。
【符号の説明】
【００３３】
１      揚水ポンプ本体
２      空気抜き弁
２ａ    弁板
２ｂ    弁板
２ｃ    弁軸
２ｄ    止め部
３      突起部
４      ゴム板
５      空気抜き口
６      パイプ
７      キャップ
８      ピン
９      容器
１０    穴
１１    吸水弁
１１ａ  吸水弁下部
１２    空気入口
１３    吸水弁
１３ａ  吸水弁下部
１４    弾性部材
１５    排出口
１６    パイプ
１７    吸水口
１８    吸水口
１９    おもり
２０    隙間
２１    排出ホース
２２    エアーホース
２３    エアーホース
２４    エアー調整付分岐具
２５    エアーポンプ
２６    水面
２７    水流調節部
２７ａ  入口
２７ｂ  出口
２７ｃ  穴
２８    流出路
２９    容器
３０    入口
３１    空気抜き口
３２    パイプ
３３    キャップ
３４    ピン
３５    オーバーフロー口
３６    バルブ
３７    流出口
３８    ホース
３９    水面
【図１】
2008286176.tif 000003
【図２】
2008286176.tif 000004
【図３】
2008286176.tif 000005